(57)【要約】      （修正有）【課題】マルチバンド無線ネットワークにおいて、通信デバイスが別の周波数帯及び／又はチャネルに遷移する際の制御方法を提供する。【解決手段】マルチバンド局は、第１周波数帯の第１チャネルで、第２のマルチバンド局とのトラフィックストリーム又はブロック確認応答を設定する。マルチバンド局は、第２周波数帯の第２チャネルで要求を送信してもよく、チャネル、周波数帯、媒体アクセス制御（ＭＡＣ）アドレス情報を要求及び応答交換の一部として含む。【選択図】図１
2011254458.tif 000002
【特許請求の範囲】
【請求項１】
マルチバンド無線ネットワークにおけるトラフィックストリームを管理する方法であって、
第１マルチバンド局が、第２周波数帯の第２チャネルで通信を行うと共に、前記第２周波数帯の前記第２チャネルで要求を送信することにより、第２マルチバンド局とのトラフィックストリーム又はブロック確認応答合意を、第１周波数帯の第１チャネルに設定する段階を備え、
前記要求は、チャネルに関する情報、周波数帯に関する情報及び媒体アクセス制御（ＭＡＣ）アドレス情報を含む方法。
【請求項２】
前記第２周波数帯の前記第２チャネルで、前記第２マルチバンド局から応答を受信する段階を備え、
前記応答は、チャネルに関する情報、周波数帯に関する情報及び媒体アクセス制御（ＭＡＣ）アドレス情報を含む請求項１に記載の方法。
【請求項３】
前記第１周波数帯の前記第１チャネルで、前記第２マルチバンド局から応答を受信する段階を備える請求項１に記載の方法。
【請求項４】
前記設定する段階は、
前記第２マルチバンド局に、ＡＤＤＴＳ要求を送信する段階を有し、
前記ＡＤＤＴＳ要求は、前記第１チャネルに関する情報、前記第１周波数帯に関する情報、及び前記第１チャネルにおける前記第１マルチバンド局のＭＡＣアドレスを含む請求項１に記載の方法。
【請求項５】
前記第２マルチバンド局から、ＡＤＤＴＳ応答を受信する段階を備え、
前記ＡＤＤＴＳ応答は、前記第１チャネルに関する情報、前記第１周波数帯に関する情報、及び前記第１チャネルにおける前記第２マルチバンド局のＭＡＣアドレスを含む請求項２に記載の方法。
【請求項６】
前記設定する段階は、
前記第２マルチバンド局に、ＡＤＤＢＡ要求を送信する段階を有し、
前記ＡＤＤＢＡ要求は、前記第１チャネルに関する情報、前記第１周波数帯に関する情報、及び前記第１チャネルにおける前記第１マルチバンド局のＭＡＣアドレスを含む請求項１に記載の方法。
【請求項７】
前記第２マルチバンド局から、ＡＤＤＢＡ応答を受信する段階を備え、
前記ＡＤＤＢＡ応答は、前記第１チャネルに関する情報、前記第１周波数帯に関する情報、及び前記第１チャネルにおける前記第２マルチバンド局のＭＡＣアドレスを含む請求項２に記載の方法。
【請求項８】
前記第１マルチバンド局から、ブロック確認応答削除（ＤＥＬＢＡ）フレーム又はトラフィックストリーム削除（ＤＥＬＴＳ）フレームを、前記第２周波数帯の前記第２チャネルで送信する段階を備え、
前記ＤＥＬＢＡフレーム及び前記ＤＥＬＴＳフレームは、前記第１チャネルに関する情報、前記第１周波数帯に関する情報、及び前記第２周波数帯の前記第１チャネルにおける前記第１マルチバンド局のＭＡＣアドレスを含む請求項６に記載の方法。
【請求項９】
前記第１マルチバンド局は、前記第１周波数帯の前記第１チャネルにおける第１ＭＡＣアドレス、及び前記第２周波数帯の前記第２チャネルにおける第２ＭＡＣアドレスを有し、
前記第２マルチバンド局は、前記第１周波数帯の前記第１チャネルにおける第３ＭＡＣアドレス、及び前記第２周波数帯の前記第２チャネルにおける第４ＭＡＣアドレスを有する請求項１に記載の方法。
【請求項１０】
少なくとも第１無線機及び第２無線機と、
媒体アクセス制御（ＭＡＣ）プロセッサと
を備え、
前記第１無線機は、第１周波数帯の第１チャネルで動作し、前記第２無線機は、第２周波数帯の第２チャネルで動作し、
前記ＭＡＣプロセッサは、第２周波数帯の第２チャネルで要求を送信することにより、第２マルチバンド局とのトラフィックストリーム又はブロック確認応答を、前記第１周波数帯の前記第１チャネルに設定し、
前記要求は、チャネルに関する情報、周波数帯に関する情報及び媒体アクセス制御（ＭＡＣ）アドレス情報を含み、
前記ＭＡＣプロセッサは、前記第２周波数帯の前記第２チャネルで、前記第２マルチバンド局から応答を受信し、
前記応答は、チャネルに関する情報、周波数帯に関する情報及び媒体アクセス制御（ＭＡＣ）アドレス情報を含むマルチバンド局。
【請求項１１】
前記第１周波数帯及び前記第２周波数帯は、同じ周波数帯である請求項１０に記載のマルチバンド局。
【請求項１２】
前記ＭＡＣプロセッサは、ＡＤＤＴＳ要求を、前記第２マルチバンド局に送信することができ、
前記ＡＤＤＴＳ要求は、前記第１チャネルに関する情報、前記第１周波数帯に関する情報、及び前記第１チャネルにおける前記マルチバンド局のＭＡＣアドレスを含む請求項１０に記載のマルチバンド局。
【請求項１３】
前記ＭＡＣプロセッサは、ＡＤＤＴＳ応答を、前記第２マルチバンド局から受信することができ、
前記ＡＤＤＴＳ応答は、前記第１チャネルに関する情報、前記第１周波数帯に関する情報、及び前記第１チャネルにおける前記第２マルチバンド局のＭＡＣアドレスを含む請求項１０に記載のマルチバンド局。
【請求項１４】
前記ＭＡＣプロセッサは、ＡＤＤＢＡ要求を、前記第２マルチバンド局に送信することができ、
前記ＡＤＤＢＡ要求は、前記第１チャネルに関する情報、前記第１周波数帯に関する情報、及び前記第１チャネルにおける前記マルチバンド局のＭＡＣアドレスを含む請求項１０に記載のマルチバンド局。
【請求項１５】
前記ＭＡＣプロセッサは、ＡＤＤＢＡ応答を、前記第２マルチバンド局から受信することができ、
前記ＡＤＤＢＡ応答は、前記第１チャネルに関する情報、前記第１周波数帯に関する情報、及び前記第１チャネルにおける前記第２マルチバンド局のＭＡＣアドレスを含む請求項１０に記載のマルチバンド局。
【請求項１６】
前記ＭＡＣプロセッサは、ブロック確認応答削除（ＤＥＬＢＡ）フレーム又はトラフィックストリーム削除（ＤＥＬＴＳ）フレームを、前記第２周波数帯の前記第２チャネルで、前記マルチバンド局から送信することができ、
前記ＤＥＬＢＡフレーム及び前記ＤＥＬＴＳフレームは、前記第１チャネルに関する情報、前記第１周波数帯に関する情報、及び前記第１周波数帯の前記第１チャネルにおける前記マルチバンド局のＭＡＣアドレスを含む請求項１０に記載のマルチバンド局。
【請求項１７】
前記マルチバンド局は、前記第１周波数帯の前記第１チャネルにおける第１ＭＡＣアドレス、及び前記第２周波数帯の前記第２チャネルにおける第２ＭＡＣアドレスを有し、
前記第２マルチバンド局は、前記第１周波数帯の前記第１チャネルにおける第３ＭＡＣアドレス、及び前記第２周波数帯の前記第２チャネルにおける第４ＭＡＣアドレスを有する請求項１０に記載のマルチバンド局。
【請求項１８】
少なくとも第１無線機及び第２無線機と、
媒体アクセス制御（ＭＡＣ）プロセッサと
を備え、
前記第１無線機は、第１周波数帯の第１チャネルで動作し、前記第２無線機は、第２周波数帯の第２チャネルで動作し、
前記ＭＡＣプロセッサは、第２周波数帯の第２チャネルで要求を送信することにより、第２マルチバンド局とのトラフィックストリーム又はブロック確認応答を、前記第１周波数帯の前記第１チャネルに設定し、
前記要求は、チャネルに関する情報、周波数帯に関する情報及び媒体アクセス制御（ＭＡＣ）アドレス情報を含み、
前記ＭＡＣプロセッサは、前記第２周波数帯の前記第２チャネルで、前記第２マルチバンド局から応答を受信し、
前記応答は、チャネルに関する情報、周波数帯に関する情報及び媒体アクセス制御（ＭＡＣ）アドレス情報を含む無線通信システム。
【請求項１９】
前記第１周波数帯及び前記第２周波数帯は、同じである請求項１８に記載の無線通信システム。
【請求項２０】
前記ＭＡＣプロセッサは、ＡＤＤＴＳ要求を、前記第２マルチバンド局に送信することができ、
前記ＡＤＤＴＳ要求は、前記第１チャネルに関する情報、前記第１周波数帯に関する情報、及び前記第１チャネルにおける前記第１局のＭＡＣアドレスを含む請求項１８に記載の無線通信システム。
【請求項２１】
前記ＭＡＣプロセッサは、ＡＤＤＴＳ応答を、前記第２マルチバンド局から受信することができ、
前記ＡＤＤＴＳ応答は、前記第１チャネルに関する情報、前記第１周波数帯に関する情報、及び前記第１チャネルにおける前記第２マルチバンド局のＭＡＣアドレスを含む請求項１８に記載の無線通信システム。
【請求項２２】
前記ＭＡＣプロセッサは、ＡＤＤＢＡ要求を、前記第２マルチバンド局に送信することができ、
前記ＡＤＤＢＡ要求は、前記第１チャネルに関する情報、前記第１周波数帯に関する情報、及び前記第１チャネルにおける前記第１局のＭＡＣアドレスを含む請求項１８に記載の無線通信システム。
【請求項２３】
前記ＭＡＣプロセッサは、ＡＤＤＢＡ応答を、前記第２マルチバンド局から受信することができ、
前記ＡＤＤＢＡ応答は、前記第１チャネルに関する情報、前記第１周波数帯に関する情報、及び前記第１チャネルにおける前記第２マルチバンド局のＭＡＣアドレスを含む請求項１８に記載の無線通信システム。
【請求項２４】
前記ＭＡＣプロセッサは、ブロック確認応答削除（ＤＥＬＢＡ）フレーム又はトラフィックストリーム削除（ＤＥＬＴＳ）フレームを、前記第２周波数帯の前記第２チャネルで、前記第１マルチバンド局から送信することができ、
前記ＤＥＬＢＡフレーム及び前記ＤＥＬＴＳフレームは、前記第１チャネルに関する情報、前記第１周波数帯に関する情報、及び前記第１周波数帯の前記第１チャネルにおける前記第１マルチバンド局のＭＡＣアドレスを含む請求項１８に記載の無線通信システム。
【請求項２５】
前記第１マルチバンド局は、前記第１周波数帯の前記第１チャネルにおける第１ＭＡＣアドレス、及び前記第２周波数帯の前記第２チャネルにおける第２ＭＡＣアドレスを有し、
前記第２マルチバンド局は、前記第１周波数帯の前記第１チャネルにおける第３ＭＡＣアドレス、及び前記第２周波数帯の前記第２チャネルにおける第４ＭＡＣアドレスを有する請求項１８に記載の無線通信システム。
【発明の詳細な説明】
【背景技術】
【０００１】
異なる無線機を使用する無線ローカルエリアネットワーク（ＷＬＡＮ）及び無線パーソナルエリアネットワーク（ＷＰＡＮ）デバイスが、ノートブック、ネットブック、デスクトップコンピュータ、携帯電話、携帯機器等の多くのプラットフォームにて広く使用されている。ＷＬＡＮ及びＷＰＡＮデバイスとしては、例えば、ＩＥＥＥ８０２．１１規格に準拠したＢｌｕｅｔｏｏｔｈ（登録商標）（ＢＴ）及びＷＬＡＮ送受信機が含まれる。ＷＬＡＮ送受信機及びデバイスを、本明細書では、ＷｉＦｉ送受信機及び／又はＷｉＦｉデバイスと称する。ＢＴ及びＷｉＦｉ送受信機は、例えば、２．４ＧＨｚ周波数帯のような同じ周波数帯で動作してもよいし、又は、ＢＴ送受信機が２．４ＧＨｚ周波数帯で動作し、ＷｉＦｉ送受信機が５ＧＨｚ周波数帯で動作するといったように、異なる周波数帯で動作してもよい。
【０００２】
ＷＬＡＮ及びＷＰＡＮデバイスが使用してもよい別の周波数帯としては、６０ＧＨｚ周波数帯がある。ＷｉＦｉ準拠のデバイスは、テレビ放送のホワイトスペース（使用されていない隙間の周波数、＜１ＧＨｚ）、２．４ＧＨｚ、５ＧＨｚ及び６０ＧＨｚの周波数帯を使用してもよい。送受信機を複数の帯域の間で切り替える際の問題の１つとして、１の周波数帯域、例えば、６０ＧＨｚから、別の周波数帯域、例えば、５ＧＨｚ、２．４ＧＨｚへのトラフィックストリームの切り替えること、又は複数の帯域で並行に効率よく動作することが挙げられる。
【０００３】
発明として見なされる特徴は、特に、本明細書の結論の部分に指摘され、請求される。しかしながら、発明の構成及び動作方法は、目的、特徴及び利点と共に、添付の図面を参照して以下に記載する詳細な説明を読むことにより、良く理解されるであろう。
【図面の簡単な説明】
【０００４】
【図１】本発明の典型的な実施形態に係る無線通信ネットワークの局を概略的に示した図である。
【図２Ａ】本発明の典型的な実施形態に係る無線通信ネットワークを概略的に示した図である。
【図２Ｂ】本発明の典型的な実施形態に係る無線通信ネットワークを概略的に示した図である。
【図３】本発明の典型的な実施形態に係る、フレームであってもよい要求又は応答を概略的に示した図である。
【図４】本発明の典型的な実施形態の一部に係るトラフィックストリーム切り替えプロトコルの概略的なタイミング図である。
【図５】本発明の典型的な実施形態に係るトラフィックストリームを設定する方法のフローチャートである。
【発明を実施するための形態】
【０００５】
図示の単純化及び明瞭化のために、図示された要素は必ずしも実寸法で描かれていない。例えば、いくつかの要素の寸法は、明瞭化のために他の要素に比べて拡大して描かれていることがある。さらに、適切であると考えられる場合、対応する又は類似する要素を示すのに参照番号が図面間で繰り返し使用されている。
【０００６】
以下の詳細な説明では、本発明を理解するために多くの詳細事項が記される。しかしながら、これら詳細事項がなくとも本発明を実施可能であることは、当業者にとって明らかである。また、本発明を不明瞭にしない目的から、周知の方法、手順、構成要素及び回路等の詳細な説明を省略している。
【０００７】
以下に記載する詳細な説明の一部は、コンピュータメモリ内のデータビット又は２値デジタル信号に対するオペレーションの記号表記、及びアルゴリズムの形式で表される。これらのアルゴリズム的描写及び表現は、データ処理技術を扱う当業者によって使用される手法であり、これによって、別の当業者に自身の仕事の内容を伝達する場合がある。
【０００８】
特に明記されない限り、以下の説明で明らかになるように、明細書中で使用されている言葉、例えば、「Ｐｒｏｃｅｓｓｉｎｇ（処理）」、「ｃｏｍｐｕｔｉｎｇ（演算）」、「ｃａｌｃｕｌａｔｉｎｇ（計算）」、「ｄｅｔｅｒｍｉｎｉｎｇ（決定）」等の言葉は、コンピュータ又はコンピュータシステム、又は物理量で表されるデータを操作及び／又は変換する同様な電子演算装置のオペレーション及び／又はプロセスを指す。例えば、コンピュータシステムのレジスタ及び／又はメモリ内の電子的量を、コンピュータシステム内のメモリ、レジスタ又はその他の情報記憶層装置内、又は送信デバイス内の同様な物理量で表される別のデータへと変換するオペレーションを指す。また、明細書で使用されている「１つの」という言葉は、１個又は１個以上であることを表す。また、本明細書で使用されている「複数の」という言葉は、２個以上であることを表す。また、「別の」という言葉は、少なくとも第２のものが存在する、又はそれ以上のものが存在することを表す。また、本明細書で使用されている「ｉｎｃｌｕｄｉｎｇ（含む）」及び／又は「ｈａｖｉｎｇ（有する）」という言葉は、これに限定されないが、「ｃｏｍｐｒｉｓｉｎｇ（含む）」という意味で使用されている。また、明細書で使用されている「ｃｏｕｐｌｅｄ（連結）」という言葉は、あらゆる所望の態様で動作可能に接続されていることを表し、例えば、ソフトウェア、ハードウェア等によって、機械的に、電子的に、デジタル的に又は直接、接続されていることを表す。
【０００９】
さらに、本明細書で使用されている「トラフィック」及び／又は「トラフィックストリーム」という言葉は、例えば、局（ＳＴＡ）のような無線デバイス間のデータの流れ及び／又はストリームとして定義される。また、本明細書で使用されている「セッション」という言葉は、確立された直接物理（ＰＨＹ）リンクを有する局の組に保持される状態情報（すなわち、転送を除く）として定義される。また、「ｆａｓｔ  ｓｅｓｓｉｏｎ  ｔｒａｎｓｆｅｒ（ＦＳＴ）（高速セッション移動）」は、互いに通信している局（ＳＴＡ）が、共に通信を希望する周波数帯が合致している場合に、セッションを１のチャネルから別のチャネルへ移動させることとして定義されている。
【００１０】
本明細書で使用される「無線デバイス」という言葉は、例えば、無線通信を行うことができるデバイス、無線通信を行うことができる通信デバイス、無線通信を行うことができる通信局、携帯型又は非携帯型の無線通信を行うことができるデバイス等を含む。幾つかの実施形態では、無線デバイスは、コンピュータと一体化される周辺機器、又はコンピュータに取り付けられる周辺機器を含んでもよいし、含まなくてもよい。また、幾つかの実施形態では、「無線デバイス」という言葉は、無線サービスを含む場合もある。
【００１１】
本発明の実施形態は、別の周波数帯及び／又はチャネルに移る前、遷移の間、及び遷移が完了した後であって、別の周波数帯及び／又はチャネル、又は複数の周波数帯及び／又は複数のチャネルにおいてデバイスがアクティブである場合のトラフィックストリームの制御を提供する。本発明の実施形態の幾つかは、デバイスが、例えば、両方の周波数帯及び／又はチャネルにおいて同じＭＡＣアドレスを有するような透過モードを含んでもよい。本発明の別の実施形態は、通信デバイスの少なくとも１つが、異なる周波数帯及び／又は異なるチャネルにおいて異なるアドレスを有する非透過的モードを提供してもよい。しかしながら、本発明の範囲は、これらの例に限定されない。
【００１２】
本発明は、様々なアプリケーションにおいて利用可能であることは明らかである。この点に関して、本発明は特に限定されないが、本明細書に開示される回路及び手法は、無線システムの局を含む多くの装置において使用されてもよい。本発明の範囲に含まれることを意図している局としては、例えば、ＷＬＡＮ局、ＷＰＡＮ等が含まれる。
【００１３】
本発明の範囲に含まれることを意図しているＷＰＡＮ及びＷＬＡＮの種類には、これらに限定するわけではないが、携帯局、アクセスポイント、及び、例えば、周波数ホッピング拡散スペクトラム（ＦＨＳＳ）、直接シーケンス拡散スペクトラム（ＤＳＳＳ）、相補型符号変調（ＣＣＫ）、直交波周波数分割多重（ＯＦＤＭ）等の拡散スペクトラム信号を送受信するための局が含まれる。
【００１４】
幾つかの実施形態は、様々なデバイス及びシステムと関連付けて使用される。そのようなデバイス及びシステムの例としては、ビデオ装置、オーディオ装置、オーディオ・ビデオ（Ａ／Ｖ）装置、セットトップボックス（ＳＴＢ）、ブルーレイディスク（ＢＤ）プレーヤ、ＢＤレコーダ、デジタルビデオディスク（ＤＶＤ）プレーヤ、高画質（ＨＤ）ＤＶＤプレーヤ、ＤＶＤレコーダ、ＨＤ  ＤＶＤレコーダ、パーソナルビデオレコーダ（ＰＶＲ）、放送ＨＤ受信機、動画源、音声源、ビデオシンク、オーディオシンク、ステレオチューナー、放送電波受信機、表示装置、フラットパネルディスプレイ、パーソナルメディアプレーヤ（ＰＭＰ）、デジタルビデオカメラ（ＤＶＣ）、デジタルオーディオプレーヤ、スピーカ、音声受信機、音声増幅器、データ源、データシンク、デジタルスチルカメラ（ＤＳＣ）、パーソナルコンピュータ（ＰＣ）、デスクトップコンピュータ、モバイルコンピュータ、ラップトップコンピュータ、ノートブックコンピュータ、タブレットコンピュータ、サーバーコンピュータ、ハンドヘルドコンピュータ、携帯端末、パーソナルデジタルアシスタント（ＰＤＡ）デバイス、携帯ＰＤＡデバイス、オンボードデバイス、オフボードデバイス、ハイブリッドデバイス、車両搭載デバイス、非車両搭載デバイス、モバイル又はポータブルデバイス、消費者デバイス、非モバイル又は非ポータブルデバイス、無線通信局、無線通信デバイス、無線アクセスポイント（ＡＰ）、有線又は無線ルータ、有線又は無線モデム、有線又は無線ネットワーク、無線エリアネットワーク、無線ビデオエリアネットワーク（ＷＶＡＮ）、ローカルエリアネットワーク（ＬＡＮ）、無線ＬＡＮ，パーソナルエリアネットワーク（ＰＡＮ）、無線ＰＡＮ、現在のＷｉｒｅｌｅｓｓＨＤ（登録商標）及び／又は無線ギガビットアライアンス（ＷＧＡ）規格及び／又はこれらの未来のバージョン及び／又はこれらの派生規格に準拠して動作するデバイス及び／又はネットワーク、現在のＩＥＥＥ８０２．１１（ＩＥＥＥ８０２．１１‐１９９９：無線ＬＡＮ媒体アクセス制御（ＭＡＣ）及び物理層（ＰＨＹ）規格）規格（"ＩＥＥＥ８０２．１１規格"）、ＩＥＥＥ８０２．１６規格及び／又は未来のバージョン及び／又はこれらの派生規格に準拠して動作するデバイス及び／又はネットワーク、上記のネットワークの一部を構成するユニット及び／又はデバイス、一方向及び／又は双方向無線通信システム、携帯無線電話通信システム、無線ディスプレイ（ＷｉＤｉ）デバイス、携帯電話、無線電話、パーソナル通信システム（ＰＣＳ）デバイス、無線通信デバイスを組み込んだＰＤＡデバイス、モバイル又はポータブル・全地球測位システム（ＧＰＳ）デバイス、ＧＰＳ受信機又は送信機又はチップを組み込んだデバイス、ＲＦＩＤ要素又はチップを組み込んだデバイス、複数入力複数出力（ＭＩＭＯ）送受信機又はデバイス、単入力複数出力（ＳＩＭＯ）送受信機又はデバイス、複数入力単出力（ＭＩＳＯ）送受信機又はデバイス、１以上の内部アンテナ及び／又は外部アンテナを有するデバイス、デジタルビデオ放送（ＤＶＢ）デバイス又はシステム、マルチスタンダード無線デバイス又はシステム、有線又は無線ハンドヘルド��バイス（例えば、ＢｌａｃｋＢｅｒｒｙ、Ｐａｌｍ  Ｔｒｅｏ）、無線アプリケーションプロトコル（ＷＡＰ）デバイス等が含まれる。
【００１５】
また、幾つかの実施形態は、１以上の種類の無線通信信号及びシステムと関連付けて使用される。例えば、無線周波数（ＲＦ）、赤外線（ＩＲ）、周波数多重分割（ＦＤＭ）、直交周波数多重分割（ＯＦＤＭ）、時分割多重（ＴＤＭ）、時分割多重アクセス（ＴＤＭＡ）、拡張ＴＤＭＡ（Ｅ‐ＴＤＭＡ）、汎用パケット無線サービス（ＧＰＲＳ）、拡張ＧＰＲＳ（Ｅ‐ＧＰＲＳ）、符号分割多重接続（ＣＤＭＡ）、ワイドバンドＣＤＭＡ（ＷＣＤＭＡ）、ＣＤＭＡ２０００、シングルキャリアＣＤＭＡ、マルチキャリアＣＤＭＡ、多重搬送波変調（ＭＤＭ）、離散型マルチトーン（ＤＭＴ）、Ｂｌｕｅｔｏｏｔｈ（登録商標）、全地球測位システム（ＧＰＳ）、Ｗｉ‐Ｆｉ、Ｗｉ‐Ｍａｘ、ＺｉｇＢｅｅ（登録商標）、ウルトラワイドバンド（ＵＷＢ）、モバイル通信のためのグローバルシステム（ＧＳＭ）、第２世代、第２．５世代、第３世代、第３．５世代、ＧＳＭ進化型高速データレート（ＥＤＧＥ）等が挙げられる。その他の実施形態を、様々なその他のデバイス、システム及び／又はネットワークにおいて使用してもよい。
【００１６】
また、幾つかの例示的実施形態は、好適な限定的レンジ又は短距離無線通信ネットワークと関連付けて使用される場合があり、そのような無線ネットワークとしては、例えば、"ピコネット"又は"ＰＢＳＳ"、無線エリアネットワーク、ＷＶＡＮ、ＷＰＡＮ等がある。
【００１７】
図１には、本発明の典型的な実施形態に係る無線通信ネットワークの局を概略的に示されている。本発明の実施形態に係る局１００は、例えば、アクセスポイント（ＡＰ）、ピコネットコントローラ（ＰＮＣ）、ＰＢＳＳ制御ポイント（ＰＣＰ）、ＳＴＡ、イニシエータ、受信機器等の無線通信デバイスであってもよい。
【００１８】
本発明の実施形態に係る局１００は、場合によっては、マルチバンド局と称してもよい。局１００は、例えば、複数の無線機を含んでもよく、例えば、無線機Ａ１１０、無線機Ｂ１２０及び無線機Ｃ１３０を含む。無線機Ａ１１０、無線機Ｂ１２０及び無線機Ｃ１３０はそれぞれ、２つ以上のアンテナに動作可能に連結される。例えば、無線機Ａ１１０は、アンテナ１６０及び１６２に、無線機Ｂ１２０は、アンテナ１６４及び１６６に、無線機Ｃは、アンテナ１６８及び１７０に動作可能に連結される。
【００１９】
本発明の典型的な実施形態によれば、無線機Ａ１１０、無線機Ｂ１２０及び無線機Ｃ１３０は、無線機Ａ１１０に示すのと同様な構造を有していてもよい。例えば、各無線機は、少なくとも１つの複数入力複数出力（ＭＩＭＯ）制御装置１１６、及び／又はビーム形成制御装置、受信機（ＲＸ）１１２及び送信機（ＴＸ）１１４を含んでもよい。しかしながら、本発明の範囲は、この点に関して限定されない。
【００２０】
また、本発明の典型的な実施形態によれば、必要であれば、各無線機は、異なる周波数帯／チャネルで動作してもよい。例えば、無線機Ａ１１０は６０ＧＨｚ周波数帯、無線機Ｂ１２０は５ＧＨｚ周波数帯、そして無線機Ｃ１３０は２．４ＧＨｚ周波数帯で動作してもよい。しかしながら、本発明の実施形態はこの例に限定されないことは、理解されるべきである。
【００２１】
局１００は、さらに、媒体アクセス制御（ＭＡＣ）プロセッサ１４０及びメモリ１５０を含んでもよい。ＭＡＣプロセッサ１４０は、必要に応じて、ＩＥＥＥ８０２．１１ａｄ及び／又はＩＥＥＥ８０２．１５．３ｃ及び／又はＷｉｒｅｌｅｓｓＨＤ（登録商標）及び／又はＥＣＭＡ‐３８７及び／又はＩＳＯ／ＩＥＣ１３１５６：２００９及び／又はＢｌｕｅｔｏｏｔｈ（登録商標）及び／又はＷＧＡ規格に準拠したＭＡＣプロトコルで動作してもよい。
【００２２】
メモリ１５０は、揮発性メモリ、不揮発性メモリ、着脱式メモリ、固定式メモリ、消去可能又は消去不可能メモリ、書き込み又は再書き込み可能メモリ等を含んでもよい。例えば、メモリ１５０としては、ランダムアクセスメモリ（ＲＡＭ）、ダイナミックＲＡＭ（ＤＲＡＭ）、ダブルデータレートＤＲＡＭ（ＤＤＲ‐ＤＲＡＭ）、シンクロナスＤＲＡＭ（ＳＤＲＡＭ）、スタティックＲＡＭ（ＳＲＡＭ）、リードオンリーメモリ（ＲＯＭ）、プログラム可能ＲＯＭ（ＰＲＯＭ）、消去可能プログラム可能ＲＯＭ（ＥＰＲＯＭ）、電気的消去可能プログラム可能ＲＯＭ（ＥＥＰＲＯＭ）、コンパクトディスクＲＯＭ（ＣＤ‐ＲＯＭ）、記録可能コンパクトディスク（ＣＤ‐Ｒ）、再書き込み可能コンパクトディスク（ＣＤ‐ＲＷ）、フラッシュメモリ（例えば、ＮＯＲ又はＮＡＮＤフラッシュメモリ）、コンテント・アドレッサブル・メモリ（ＣＡＭ）、高分子メモリ、相変化メモリ、強誘電メモリ、シリコン‐酸化膜‐窒化膜‐酸化膜‐シリコン（ＳＯＮＯＳ）メモリ、ディスク、フロッピー（登録商標）ディスク、ハードドライブ、光ディスク、磁気ディスク、カード、磁気カード、光学カード、テープ、カセット等が含まれてもよい。
【００２３】
アンテナ１６０、１６２、１６４、１６６、１６８及び１７０は、例えば、位相配列アンテナ、内部及び／又は外部ＲＦアンテナ、ダイポールアンテナ、モノポールアンテナ、全方向性アンテナ、エンドフィードアンテナ、円偏波アンテナ、マイクロストリップアンテナ、ダイバーシチアンテナ、又は、無線通信信号、ブロック、フレーム、送信ストリーム、パケット、メッセージ及び／又はデータを送受信するのに適したその他の種類のアンテナを含んでもよい。本発明の範囲は、これらの例に限定されない。
【００２４】
例えば、マルチバンド局であるＳＴＡ１００は、無線機Ａ１１０及び無線機Ｂ１２０を含む。無線機Ａは、６０ＧＨｚ周波数帯の第１チャネルで動作し、無線機Ｂ１２０は、２．４ＭＨｚ周波数帯の第２チャネルで動作してもよい。あるいは、無線機Ａ及び無線機Ｂは、同じ周波数帯の異なるチャネルで動作してもよい。例えば、ＭＡＣプロセッサ１４０は、６０ＧＨｚ周波数帯の第１チャネルで、要求（例えば、要求フレーム）を送信することにより、２．４ＧＨｚ周波数帯の第２チャネル上に、第２マルチバンド局とのトラフィックストリーム（ＴＳ）を設定、確立又は生成してもよい。
【００２５】
本発明の一実施形態よれば、要求（例えば、要求フレーム）は、チャネル番号、周波数帯及び媒体アクセス制御（ＭＡＣ）アドレス情報を含んでもよく、必要に応じて、その他の情報を含でもよいことは明らかである。ＭＡＣプロセッサ１４０は、２．４ＧＨｚ周波数帯の第２チャネル上で動作する無線機Ｂを使用して、第２マルチバンド局からアンテナ１６４及び１６６を介して、応答（例えば、応答フレーム）を受信する。しかしながら、本発明は、この例に限定されない。
【００２６】
一実施形態において、要求（例えば、要求フレーム）は、トラフィックストリーム追加（ＡＤＤＴＳ）要求であってもよく、応答（例えば、応答フレーム）は、ＡＤＤＴＳ応答であってもよい。ＭＡＣプロセッサ１４０は、ＡＤＤＴＳ要求フレームを、第２マルチバンド局に送信してもよい。例えば、ＡＤＤＴＳ要求フレームは、所望のチャネル情報、又は第２マルチバンドＳＴＡとの所望のＴＳを確立するためのチャネルの参照情報（例えば、番号）、ＴＳを確立するための周波数帯についての情報又は参照（例えば、番号）を含んでもよい。また、例えば、要求している側のマルチバンド局の無線機Ｂ１２０のＭＡＣアドレスのような、所望のチャネル上のマルチバンド局のＭＡＣアドレスを含んでもよい。ＭＡＣプロセッサ１４０は、要求を行ったチャネル又は周波数帯で、第２マルチバンド局から応答（例えば、応答フレーム）を受信してもよい。例えば、ＡＤＤＴＳ応答フレームは、必要に応じて、周波数帯に関する情報又は参照情報、チャネルに関する情報又は参照情報、及び要求側マルチバンド局の要求を行った周波数帯でのＭＡＣアドレス、例えば、応答局の無線機Ｂ１２０のＭＡＣアドレスを含んでもよい。
【００２７】
本発明の別の実施形態において、必要に応じて、要求及び応答フレームは、ブロック確認応答追加（ＡＤＤＢＡ）要求フレーム及びＡＤＤＢＡ応答フレームであってもよい。ＭＡＣプロセッサ１４０は、ＡＤＤＢＡ要求フレームを、第２マルチバンド局に送信してもよい。例えば、ＡＤＤＢＡ要求フレームは、第２マルチバンドＳＴＡとの所望のＴＳを確立するための所望のチャネル情報、ＴＳを確立するための周波数帯に関する情報又は参照情報を含んでもよい。また、例えば、要求側マルチバンド局の無線機Ｂ１２０のＭＡＣアドレスのような、所望のチャネル上のマルチバンド局のＭＡＣアドレスを含んでもよい。ＭＡＣプロセッサ１４０は、要求を行ったチャネル及び周波数帯で、第２マルチバンド局から応答を受信してもよい。例えば、ＡＤＤＢＡ応答フレームは、必要に応じて、周波数帯に関する情報又は参照情報、若しくは、次に示すものに関する情報又は参照情報を含んでもよい：チャネル、要求を行った周波数帯での要求しているマルチバンド局のＭＡＣアドレス、例えば、応答する局の無線機Ｂ１２０のＭＡＣアドレスに関する情報を含んでもよい。
【００２８】
例示した実施形態によれば、ＭＡＣプロセッサ１４０は、ブロック確認応答削除（ＤＥＬＢＡ）フレームを、要求を行ったチャネル及び周波数帯で、要求側マルチバンド局から送信してもよい。例えば、ＤＥＬＢＡフレームは、要求側局のチャネルに関する情報又は参照情報、及び、要求側局の周波数帯に関する情報又は参照情報を含んでもよい。また、例えば、要求側局の無線機Ａ１１０のＭＡＣアドレスのような、要求しているチャネル及び要求している周波数帯における要求側マルチバンド局のＭＡＣアドレスを含んでもよい。
【００２９】
例えば、ＳＴＡ１００のようなマルチバンド局の各無線機、例えば、無線機Ａ１１０、無線機Ｂ１２０及び無線機Ｃ１３０は、それぞれ、所定の周波数帯の別々のチャネルで動作してもよく、所定の周波数帯は、同じ周波数帯である場合もあるし、少なくとも複数の無線機のうちの一部に対しては異なる周波数帯である場合もある。ＳＴＡ１００は、固有のＭＡＣアドレスを備えてもよい。本発明の一実施形態では、第１マルチバンド局は、第１周波数帯における第１ＭＡＣアドレス及び第２周波数帯における第２ＭＡＣアドレスを含む又は有してもよく、第２マルチバンド局は、第１周波数帯における第３ＭＡＣアドレス及び第２周波数帯における第４ＭＡＣアドレスを含む又は有してもよい。本発明の範囲は、この点に関して限定されない。
【００３０】
図２Ａ及び図２Ｂには、本発明の典型的な実施形態に係る無線通信ネットワークが概略的に示されている。例えば、無線通信ネットワーク２００は、ＩＥＥＥ８０２  ８０２．１１タスクグループａｄ（ＴＧａｄ）によって開発された規格及び／又はＷＧＡ産業規格及び／又はＩＥＥＥ８０２．１５．３ｃ規格及び／又はＷｉｒｅｌｅｓｓＨＤ（登録商標）産業規格及び／又はＥＣＭＡ‐３８７産業規格等に準拠して動作してもよい。
【００３１】
本発明の典型的な実施形態では、図２Ａ及び図２Ｂに示すように、無線ネットワーク２００の２つの状態が存在する。状態Ａ：トラフィックストリーム（ＴＳ）２８０を設定する前、状態Ｂ：ＴＳ２７０を設定した後。
【００３２】
本発明の範囲は、この本発明の典型的な実施形態に限定されないが、無線通信ネットワーク２００は、局Ａ２１０及び局Ｂ２４０を含んでもよい。局Ａは、無線機Ａ２２０及び無線機Ｂ２３０を、局Ｂは、無線機Ａ２５０及び無線機Ｂ２６０を含んでもよい。ＳＴＡ  Ａ２１０は、以下、発信側と称され、ＳＴＡ  Ｂ２２０は、以下、受信側と称されるが、本発明の範囲は、この点に関して限定されない。
【００３３】
本発明の非限定的実施形態によれば、ＳＴＡ  Ａ２１０及びＳＴＡ  Ｂ２４０の構造及び構成要素は、必要に応じて、図１のＳＴＡ１００の構造及び構成要素と同様であってもよい。
【００３４】
オペレーションでは、ＳＴＡ  Ａ２１０及びＳＴＡ  Ｂ２２０は、必要に応じて、例えば、６０ＧＨｚの第１周波数帯Ａの、例えば、チャネルＸである第１チャネル上で、ＳＴＡ  Ａ２１０の無線機Ａ２２０を使用してＳＴＡ  Ｂ２４０の無線機Ａ２５０へと、ＴＳ要求２７０を送信してもよい。ＴＳ要求２７０を送信した後、ＳＴＡ  Ａ２１０及びＳＴＡ  Ｂ２２０は、例えば、５ＧＨｚの第２周波数帯の、例えば、チャネルＹである第２チャネル上で、ＳＴＡ  Ａ２１０の無線機Ｂ２３０及びＳＴＡ  Ｂ２４０の無線機Ｂ２６０を使用して、動作してもよい。ＳＴＡ  Ｂ２４０は、自身の無線機Ｂ２６０を使用して、例えば、周波数帯５ＧＨｚである第２周波数帯の、例えば、チャネルＹである第２チャネルで、ＴＳ応答フレーム２８０を送信してもよい。局Ａ２１０は、無線機Ｂ２３０からＴＳ応答２８０を受信してもよく、この点に関して本発明の範囲は限定されない。
【００３５】
これに替えて、ＳＴＡ  Ａ２１０及びＳＴＡ  Ｂ２２０は、必要に応じて、例えば、６０ＧＨｚの第１周波数帯Ａ、例えば、チャネルＸである第１チャネル上で、ＳＴＡ  Ａ２１０の無線機Ａ２２０を使用してＳＴＡ  Ｂ２４０の無線機Ａ２５０へと、ＴＳ要求２７０を送信してもよい。ＴＳ要求２７０を受信した後、ＳＴＡ  Ｂ２２０は、第１周波数帯ＡのチャネルＸで、ＳＴＡ  Ｂ２４０の無線機Ａ２５０を使用して、ＳＴＡ  Ａ２１０の無線機Ａ２２０へと、ＴＳ応答２８０でＳＴＡ  Ａ２１０に応答してもよい。この点に関して本発明の範囲は限定されない。
【００３６】
本発明の別の実施形態では、各局の無線機のそれぞれは、固有のＭＡＣアドレスを有する又は含んでもよい。例えば、ＳＴＡ  Ａ２１０の無線機Ａ２２０はＭＡＣアドレスＭ１を、ＳＴＡ  Ａ２１０の無線機Ｂ２３０はＭＡＣアドレスＭ３を、ＳＴＡ  Ｂ２４０の無線機Ａ２５０はＭＡＣアドレスＭ２を、ＳＴＡ  Ｂ２４０の無線機Ｂ２６０はＭＡＣアドレスＭ４を、それぞれ有してもよい。この点に関して本発明の範囲は限定されない。
【００３７】
本発明のその他の実施形態は、周波数帯及びチャネルのその他の組み合わせを含んでもよい。例えば、応答フレーム及び要求フレームの送受信を、それぞれ同じ周波数帯の同じチャネルで行ってもよい。例えば、必要に応じて、ＳＴＡ  Ａ２１０の無線機Ａ２２０から、ＳＴＡ  Ｂ２４０の無線機２５０へとチャネルＸで行ってもよい。
【００３８】
図３には、本発明の典型的な実施形態に係る、要求フレーム又は応答フレームが概略的に示されている。この例に係るフレーム３００は、周波数帯フィールド３１０、チャネル番号フィールド３２０及びＭＡＣアドレスフィールド３３０を含んでもよい。
【００３９】
本発明の実施形態に係るフィールド３１０、３２０及び３３０は、ＡＤＤＴＳ要求及び応答フレーム、ＡＤＤＢＡ要求及び応答フレーム、及びＤＥＬＴＳ及びＤＥＬＢＡフレームに含まれていてもよく、この点に関して本発明は限定されない。
【００４０】
図４には、本発明の典型的な幾つかの実施形態に係るトラフィックストリーム切り替えプロトコルの概略的なタイミング図が示されている。
【００４１】
この点に関して本発明は限定されないが、第１マルチバンド局は、第２マルチバンド局とのトラフィックストリーム又はブロック確認応答合意を、第１周波数帯の第１チャネル上に設定、確立及び／又は生成してもよく、これは、第２周波数帯の第２チャネルで通信を行うと同時に、第１マルチバンド局が第２周波数帯の第２チャネルで要求を送信することにより行われる。要求は、必要に応じて、チャネルに関する情報、周波数帯に関する情報及び媒体アクセス制御（ＭＡＣ）アドレス情報を含む。
【００４２】
１つの例示的実施形態では、マルチバンド局は、発信側とも称され、例えば、ＭＡＣアドレスＭ１及びＭＡＣアドレスＭ３を有し、例えば６０ＧＨｚである、所望の周波数帯の、例えば、チャネルＸである所望のチャネルで、第２のマルチバンド局に対して、ＴＳを設定、確立又は生成する。第２のマルチバンド局は、受信側とも称され、例えば、ＭＡＣアドレスＭ２及びＭＡＣアドレスＭ４を有し、例えば５ＧＨｚである、第２の周波数帯の、例えば、チャネルＹである第２のチャネルで動作する。発信側は、必要であれば、６０ＧＨｚ周波数帯のチャネルＸで、ＡＤＤＴＳ要求フレーム４１０を受信側に送信してもよい。ＡＤＤＴＳ要求フレーム４１０は、例えば、５ＧＨｚである所望の周波数帯、例えば、チャネルＹである所望のチャネル、及び５ＧＨｚの周波数帯のチャネルＹ上における発信側のＭＡＣアドレスを含んでもよい。
【００４３】
この例によれば、受信側は、６０ＧＨｚ周波数帯のチャネルＸで、確認応答（ＡＣＫ）フレーム４１５を送信してもよい。また、受信側は、５ＧＨｚ周波数帯のチャネルＹで、ＡＤＤＴＳ応答フレーム４２０を発信側に送信してもよく、又は、受信側は、６０ＧＨｚ周波数帯のチャネルＸで、ＡＤＤＴＳ応答フレーム４２０を発信側に送信してもよい。ＡＤＤＴＳ応答フレーム４２０は、例えば、６０ＧＨｚ周波数帯及びチャネルＸである発信側の周波数帯及びチャネル、及び発信側の周波数帯及びチャネルにおける受信側のＭＡＣアドレスを含んでもよい。これに応答して、発信側は、５ＧＨｚ周波数帯のチャネルＹで、ＡＣＫフレーム４２５を受信側に送信してもよく、本発明の範囲は、この例示的実施形態に限定されない。
【００４４】
本発明の別の実施形態では、発信側は、必要であれば、６０ＧＨｚ周波数帯のチャネルＸで、ＡＤＤＢＡ要求フレーム４３０を受信側に送信してもよい。ＡＤＤＢＡ要求フレーム４３０は、例えば、５ＧＨｚである所望の周波数帯、例えば、チャネルＹである所望のチャネル、及び５ＧＨｚの周波数帯のチャネルＹ上における発信側のＭＡＣアドレスを含んでもよい。
【００４５】
この例によれば、受信側は、６０ＧＨｚ周波数帯のチャネルＸで、ＡＣＫフレーム４３５を送信してもよい。また、受信側は、周波数帯５ＧＨｚのチャネルＹで、ＡＤＤＢＡ応答フレーム４４０を発信元に送信してもよい。ＡＤＤＢＡ応答フレーム４４０は、例えば、６０ＧＨｚ周波数帯及びチャネルＸである発信側の周波数帯及びチャネル、及び発信側の周波数帯及びチャネルにおける受信側のＭＡＣアドレスを含んでもよい。これに応答して、発信側は、５ＧＨｚ周波数帯のチャネルＹで、ＡＣＫフレーム４４５を受信側に送信してもよい。
【００４６】
ＢＡ及び／又はＴＳを停止するには、発信元は、それぞれ、ＤＥＬＢＡ４５０及び／又はＤＥＬＴＳフレーム（図示せず）を送信してもよい。これらのフレームは、どの周波数帯／チャネルで送信されてもよく、例えば、周波数帯ＡのチャネルＸに確立されたＢＡをＭＡＣアドレスＭ１の局を使用して消去するには、ＤＥＬＢＡ４５０を、５ＧＨｚ周波数帯のチャネルＹで送信して、Ｘ、Ｙ及びＭ１  ４５０を規定し、その後、受信側からＡＣＫ４５５を送信する。ＤＥＬＢＡ４５０及び／又はＤＥＬＴＳフレームは、例えば、６０ＧＨｚ及びチャネルＸである、発信側の初期周波数帯及び初期チャネル、及び、例えば、Ｍ１である初期ＭＡＣアドレスを含んでもよい。この点に関して、本発明の範囲は限定されない。
【００４７】
図５には、本発明の典型的な実施形態に係るトラフィックストリームを設定する方法のフローチャートが示されている。例えば、ＳＴＡ２１０である発信側は、例えば、６０ＧＨｚ周波数帯のチャネルＸである１つの周波数帯の１チャネル上で、例えば、ＳＴＡ２４０である受信側と通信を行う（テキストボックス５１０）。発信側は、別の周波数帯及び／又は別のチャネルで、ＴＳを設定するための要求を送信してもよい（テキストボックス５２０）。例えば、要求は、ＡＤＤＴＳ及び／又はＡＤＤＢＡ要求であってもよく、周波数帯は、必要に応じて、６０ＧＨｚ、５ＧＨｚ及び／又は２．４ＧＨｚであってもよい。
【００４８】
この典型的な実施形態によれば、受信側は、例えば、ＡＤＤＴＳ及び／又はＡＤＤＢＡ応答フレームのような適切な応答を、要求を受信したのと同じ周波数帯及び同じチャネル、例えば、６０ＧＨｚ帯のチャネルＸで送信してもよい。発信側は、６０ＧＨｚ周波数帯のチャネルＸで応答を受信し（テキストボックス５３０）、５ＧＨｚ周波数帯のチャネルＹでＴＳを確立してもよく（テキストボックス５４０）、この点に関して、本発明の範囲は限定されない。その他のオペレーション又は一連のオペレーションを使用してもよい。
【００４９】
本発明の実施形態は、コンピュータ又はプロセッサ可読媒体のような物品、又は、例えば、メモリ、ディスクドライブ又はＵＳＢフラッシュメモリのようなコンピュータ又はプロセッサ記憶媒体を含んでもよい。また、本発明の実施形態は、プロセッサ又はコントローラによって実行されると本明細書に開示したような方法を実行するコンピュータ実行可能命令のような、命令を格納する又は含むエンコーディングを含んでもよい。
【００５０】
本発明の実現は、特定の実施形態を通じて記載された。これらの実施形態は、例示することを意図しており、限定することは意図していない。多くの変更、変形、追加及び改良が可能である。したがって、本明細書には、１例しか記載されていない構成要素についても、複数の例が存在する場合がある。様々な構成要素、オペレーション及びデータ格納の間の境界は、任意であり、特定の例示の構成に照らし合わせて、特定のオペレーションが例示されている。機能のその他の割り当ても考えられ、このようなものについても、添付の請求の範囲内に含まれると考えられる。また、様々な構成において別々の構成要素として表されている構造及び機能は、組み合わされた構造又は構成要素として実装されてもよい。これら及びその他の変形例、変更、追加及び改良についても、添付の特許請求の範囲に記載される本発明の範囲に含まれると考えられる。
【図１】
2011254458.tif 000003
【図２Ａ】
2011254458.tif 000004
【図２Ｂ】
2011254458.tif 000005
【図３】
2011254458.tif 000006
【図４】
2011254458.tif 000007
【図５】
2011254458.tif 000008
【外国語明細書】
2011254458000001.pdf